(57)【特許請求の範囲】
【請求項１】
コンピュータが、複数のユーザの中のいずれかのユーザによって入力された、該ユーザに適した情報を検索するための条件を、該ユーザに関する前記第１検索条件情報として設定する第１検索条件情報設定ステップと、
コンピュータが、前記複数のユーザの中のいずれかのユーザによって他のユーザを指定した形で入力された、当該他のユーザに適した情報を検索するための条件を、当該他のユーザに関する第２検索条件情報として設定する第２検索条件情報設定ステップと、
コンピュータが、複数の情報要素を含む閲覧対象情報の中から、或るユーザに対して、前記第１検索条件情報設定ステップにより設定された前記第１検索条件情報が示している条件を満たす情報要素と，前記第２検索条件情報設定ステップにより設定された前記第２検索条件情報が示している条件を満たす情報要素とを検索する情報検索ステップと、
コンピュータが、前記情報検索ステップによる前記或るユーザについての検索結果に応じた情報を、該或るユーザに提示する情報提示ステップと
を含むことを特徴とする情報閲覧支援方法。
【請求項２】
前記第２検索条件情報設定ステップは、前記複数のユーザの中のいずれかのユーザによって他のユーザを指定した形で入力された情報を、当該他のユーザについての前記第２検索条件情報として、該情報の入力を行ったユーザを示す設定者情報と対応づけて設定し、
前記情報提示ステップは、ユーザに、前記情報検索ステップにより該ユーザについて検索された各情報要素に関する情報を提示するとともに、前記第２検索条件情報によって検索された各情報要素については、該第２検索条件情報として、対応づけて設定されている設定者を示す情報を提示する
ことを特徴とする請求項１記載の情報閲覧支援方法。
【請求項３】
コンピュータが、或るユーザが他のユーザについて前記第２検索条件情報設定ステップに設定させた第２検索条件情報に基づき、前記閲覧対象情報の中から、該他のユーザに適した情報要素を検索するとともに、該検索した情報要素が、当該他のユーザについて前記第１検索条件情報設定ステップにより設定された第１検索条件情報によって検索されるものであるかの調査を行なう第２情報検索ステップと、
コンピュータが、前記第２情報検索ステップによる前記或るユーザについての検索結果及び調査結果に応じた情報を、該或るユーザに提示する第２情報提示ステップと
を、さらに、含むことを特徴とする請求項１又は請求項２記載の情報閲覧支援方法。
【請求項４】
コンピュータに、
複数のユーザの中のいずれかのユーザによって入力された、該ユーザに適した情報を検索するための条件を、該ユーザに関する第１検索条件情報として設定する第１検索条件情報設定ステップと、
前記複数のユーザの中のいずれかのユーザによって他のユーザを指定した形で入力された当該他のユーザに適した情報を検索するための条件を、当該他のユーザに関する第２検索条件情報として設定する第２検索条件情報設定ステップと、
複数の情報要素を含む閲覧対象情報の中から、或るユーザに対して、前記第１検索条件情報設定ステップにより設定された前記第１検索条件情報が示している条件を満たす情報要素と，前記第２検索条件情報設定ステップにより設定された前記第２検索条件情報が示している条件を満たす情報要素とを検索する情報検索ステップと、
前記情報検索ステップによる前記或るユーザについての検索結果に応じた情報を、該或るユーザに提示する情報提示ステップと
を実行させることを特徴とするプログラム。
【請求項５】
複数のユーザの中のいずれかのユーザによって入力された情報を、当該ユーザについての第１検索条件情報として設定する第１検索条件情報設定手段と、
前記複数のユーザの中のいずれかのユーザによって他のユーザを指定した形で入力された情報を、当該他のユーザについての第２検索条件情報として設定する第２検索条件情報設定手段と、
複数の情報要素を含む閲覧対象情報の中か複数の情報要素を含む閲覧対象情報の中から、或るユーザに対して、前記第１検索条件情報設定ステップにより設定された前記第１検索条件情報が示している条件を満たす情報要素と，前記第２検索条件情報設定ステップにより設定された前記第２検索条件情報が示している条件を満たす情報要素とを検索する情報検索手段と、
前記情報検索手段による前記或るユーザについての検索結果に応じた情報を、該或るユーザに提示する情報提示手段と
を備えることを特徴とする情報閲覧支援装置。
【発明の詳細な説明】
【０００１】
【発明の属する技術分野】
本発明は、情報閲覧支援方法、コンピュータに情報閲覧支援方法を実行させるためのプログラム、情報閲覧支援装置に関する。
【０００２】
【従来の技術】
周知のように、近年、インターネットや社内ＬＡＮを利用して複数の人が情報を共有した形で作業を進めることを可能とするためのソフトウェア（一般にグループウェアと呼ばれている）により、オフィス作業の効率化や生産性の向上を図っている企業が多い。また、インターネット上で公開されている膨大な量の情報の中から、必要な情報だけを閲覧したいというニーズも増えており、例えば、あらかじめ登録した分野に関するニュースや登録したキーワードが含まれるニュースだけを配信してくれるクリッピング・サービスのように、個人にとって必要な情報だけを提供するサービス（一般にパーソナル化サービスと呼ばれる）も行なわれるようになっている。さらに、新情報をＥメールにてその希望者に通知するサービスを行なっているＷｅｂサイトも数多く存在している。
【０００３】
【発明が解決しようとする課題】
上記したような技術は、各種情報を利用しやすくものではあるが、その反面、取得する情報の種類が偏ってしまうといった問題が、生じていた。また、上記したような技術は、例えば、家族のように、お互いの状態を気遣ったり、その結果、何らかの情報を提供するような機能を備えたものではなかった。
【０００４】
本発明は、このような事情を鑑みなされたものであり、本発明の課題は、情報を閲覧するために複数のユーザによって使用される情報閲覧支援方法であって、それらのユーザ間のコミュニケーションの活性化が図れる情報閲覧支援方法を、提供することにある。
【０００５】
また、本発明の他の課題は、コンピュータに本発明の情報閲覧支援方法を実行させることが出来るプログラムと、情報を閲覧するために複数のユーザによって使用される情報閲覧支援装置であって、それらのユーザ間のコミュニケーションの活性化が図れる情報閲覧支援装置とを提供することにある。
【０００６】
【課題を解決するための手段】
上記課題を解決するために、本発明の情報閲覧支援方法は、コンピュータが、複数のユーザの中のいずれかのユーザによって入力された、該ユーザに適した情報を検索するための条件を、該ユーザに関する第１検索条件情報として設定する第１検索条件情報設定ステップと、コンピュータが、複数のユーザの中のいずれかのユーザによって他のユーザを指定した形で入力された、当該他のユーザに適した情報を検索するための条件を、当該他のユーザに関する第２検索条件情報として設定する第２検索条件情報設定ステップと、コンピュータが、複数の情報要素を含む閲覧対象情報の中から、或るユーザに対して、第１検索条件情報設定ステップにより設定された第１検索条件情報が示している条件を満たす情報要素と，前記第２検索条件情報設定ステップにより設定された第２検索条件情報が示している条件を満たす情報要素とを検索する情報検索ステップと、コンピュータが、情報検索ステップによる或るユーザについての検索結果に応じた情報を、該或るユーザに提示する情報提示ステップとを含む。
【０００７】
すなわち、本発明の情報閲覧支援方法では、例えば、複数のユーザがユーザＡ、Ｂ及びＣであった場合、情報検索ステップにてユーザＡについての情報検索が行なわれる際に、ユーザＡによる情報入力の結果として設定されている第１検索条件情報と、ユーザＢによる情報入力の結果として設定されている第２検索条件情報と、ユーザＣによる情報入力の結果として設定されている第２検索条件情報とが用いられる。そして、情報検索ステップによる検索結果に応じた情報が、情報提示ステップにより、ユーザＡに提示される。
【０００８】
このように、本発明の情報閲覧支援方法では、或るユーザに提示される情報に、他ユーザの意向（他ユーザが第２検索条件情報設定ステップに対してそのユーザを指定した入力した情報の内容）を反映させることが出来る。従って、本情報閲覧支援方法を用いれば、各ユーザが、自身に対して提示される情報の閲覧を通じて、他ユーザによって気遣われていることを間接的に認識できることになり、その結果として、ユーザ間でのコミュニケーションの活性化を図れることになる。
【０００９】
また、本発明の情報閲覧支援方法を実施するに際しては、第２検索条件情報設定ステップとして、複数のユーザの中のいずれかのユーザによって他のユーザを指定した形で入力された情報を、当該他のユーザについての第２検索条件情報として、該情報の入力を行ったユーザを示す設定者情報と共に設定するステップを採用し、情報提示ステップとして、ユーザに、情報検索ステップによって該ユーザについて検索された各情報要素に関する情報を提示するとともに、第２検索条件情報によって検索された各情報要素については第２検索条件情報設定ステップにより該第２検索条件情報と共に設定された設定者情報に基づき該第２検索条件情報の設定者を示す情報を提示するステップを採用することが出来る。この情報閲覧支援方法によれば、各ユーザが、いずれのユーザによって気遣われているかが分かる形態で情報の閲覧が行なえる環境を実現できることになる。
【００１０】
なお、本発明の情報閲覧支援方法にて処理される閲覧対象情報は、複数の情報要素を含むものであればどのようなものであっても良く、情報提示ステップにて提示される情報は、情報検索ステップによる検索結果に応じた情報であればどのようなものであっても良い。すなわち、閲覧対象情報を、例えば、インターネットを介して伝送される情報要素群としておいても良く、放送されている情報要素群としておいても良い。また、情報提示ステップを、情報検索ステップにて検索された情報要素のみを提示するものとしておいても良く、情報検索ステップにて検索された情報要素を表す情報と閲覧対象情報とを含む情報を提示するものとしておいても良い。
【００１１】
また、本発明の情報閲覧支援方法では、情報提示ステップを、ユーザの指示によって動作を開始するステップとしておいても良く、指定されたスケジュールに従って動作を開始するステップとしておいても良い。さらに、情報提示ステップが動作する直前に情報検索ステップが動作するようにしておいても良く、情報提示ステップと情報検索ステップとが独立したタイミングで動作するように（例えば、第１、第２検索条件情報の変更が行われた際や、閲覧対象情報の内容が変更した際に、情報検索ステップが機能し、ユーザから指示が与えられた際に情報提示手ステップが機能するように）しておいても良い。
【００１２】
さらに、本発明の情報閲覧支援方法における第１、第２検索条件情報設定ステップは、入力装置に入力された情報に基づき動作するステップであっても、インターネット等の通信媒体を介して入力された情報に基づき動作するステップであってもよい。情報提示ステップも、同様に、表示装置等の情報出力装置に情報を出力することによって情報を提示するステップであっても、インターネット等の通信媒体上に情報を出力することによって、ユーザに情報を提示するステップであってもよい。
【００１３】
また、本発明の情報閲覧支援方法には、コンピュータが、或るユーザが他のユーザについて第２検索条件情報設定ステップに設定させた第２検索条件情報に基づき、閲覧対象情報の中から、該他のユーザに適した情報要素を検索するとともに、該検索した情報要素が、当該他のユーザについて第１検索条件情報設定ステップが設定した第１検索条件情報によって検索されるものであるかの調査を行なう第２情報検索ステップと、コンピュータが、第２情報検索ステップによる或るユーザについての検索結果及び調査結果に応じた情報を、該或るユーザに提示する第２情報提示ステップとを、含ませておくことも出来る。
【００１４】
このような方法によれば、或るユーザに対して第２検索条件情報の設定を行なった者が、第２情報提示ステップにより提示される情報を元に、そのユーザとの間のコミュニケーションを行なえるので、情報閲覧支援装置のユーザ群を、話題に富む明るい共同体（例えば、家族）とすることが可能となる。
【００１５】
本発明の情報閲覧支援方法に、第２情報提示ステップ等を付加しておく場合には、第１検索条件情報は、キーワードと、他のユーザに対しそのキーワードの利用を許可するか否かを示す機密フラグとからなる情報を、１つ以上含む情報としておくとともに、第２情報検索ステップとして、検索した情報要素に対する調査を、他のユーザについて第１検索条件情報設定ステップが設定した第１検索条件情報内の機密フラグと対応づけられているキーワードのみを用いて、行なうステップを採用しておいても良い。
【００１７】
そして、本発明のプログラムは、コンピュータに、複数のユーザの中のいずれかのユーザによって入力された、該ユーザに適した情報を検索するための条件を、該ユーザに関する第１検索条件情報として設定する第１検索条件情報設定ステップと、複数のユーザの中のいずれかのユーザによって他のユーザを指定した形で入力された当該他のユーザに適した情報を検索するための条件を、当該他のユーザに関する第２検索条件情報として設定する第２検索条件情報設定ステップと、複数の情報要素を含む閲覧対象情報の中から、第１検索条件情報設定ステップにより或るユーザに対して設定された第１検索条件情報が示している条件を満たす情報要素と，第２検索条件情報設定ステップにより設定された第２検索条件情報が示している条件を満たす情報要素とを検索する情報検索ステップと、情報検索ステップによる或るユーザについての検索結果に応じた情報を、該或るユーザに提示する情報提示ステップとを実行させることが出来るように作成される。
【００１８】
このプログラムによれば、コンピュータを、本発明の情報閲覧支援方法を実施できる装置として動作させることが出来るので、コンピュータのユーザ間でのコミュニケーションの活性化を図れることになる。
また、本発明の情報検索支援装置も、本発明の情報閲覧支援方法を実施できる装置となっている。このため、本発明の情報閲覧支援装置を用いても、ユーザ間でのコミュニケーションの活性化を図れることになる。
【００１９】
【発明の実施の形態】
以下、本発明の実施の形態を、図面を参照して詳細に説明する。
【００２０】
まず、図１乃至図３を用いて、本発明の一実施形態に係る情報閲覧支援装置の概要を、説明する。なお、図１は、本実施形態に係る情報閲覧支援装置の概略構成及び使用形態の説明図であり、図２、３は、それぞれ、情報閲覧支援装置１０が保持する嗜好情報テーブル、気遣い情報テーブルの説明図である。
【００２１】
本発明の一実施形態に係る情報閲覧支援装置１０は、ＢＳデジタルチューナ（録画が可能なもの）としての機能とＷｅｂサーバとしての機能とＷｅｂメールサーバとしての機能とを有する装置である。情報閲覧支援装置１０は、テレビジョン３０とインターネット１００とに接続されるとともに、何台か（含む“０”台）のパーソナルコンピュータ４０（Ｗｅｂブラウザを備えたもの；図では、ＰＣ）とＬＡＮケーブル４５によって接続された形で、個人宅に設置され、当該個人宅に住んでいる家族の構成員（以下、ユーザと表記する）によって共用されることを想定した装置である。なお、情報閲覧支援装置１０は、一般に市販されているＢＳデジタルチューナ（セットトップボックス）と同様の外観を有する装置となっている。
【００２２】
情報閲覧支援装置１０は、各ユーザに、自身のスケジュールや知り合いに関する情報（住所等）を管理でき、他ユーザとの間で情報のやりとりが行なえる環境であるとともに、自身の趣味に合ったＢＳデジタル放送番組を見出す作業や、インターネット１００上で公開されているＷｅｂページや、自身宛てのＥメール（広告用のＥメール等）の中から自身にとって重要なＷｅｂページ、Ｅメールを見出す作業を、容易に、かつ、他ユーザの自身に対する気遣いを認識できる形で行なえる環境を、提供する装置である。さらに、情報閲覧支援装置１０は、気遣いをしている側のユーザ（以下、気遣い者とも表記する）に、気遣いの対象となっているユーザ（以下、被気遣い者とも表記する）に視聴することを薦めることが好ましいＢＳデジタル放送番組を、通知する機能も有している。
【００２３】
また、情報閲覧支援装置１０は、各ユーザが、リモートコントローラ１５（以下、リモコン１５と表記する）、インターネット１００上で公開されているＷｅｂページのブラウズが可能な端末（パーソナルコンピュータ、携帯電話、ＰＤＡ等）、及び、ＰＣ４０によって、その操作（利用）が可能な装置となっている。
【００２４】
なお、情報閲覧支援装置１０は、ＣＰＵとその周辺回路（ＲＯＭ．ＲＡＭ、ＬＡＮ用の通信回路、インターネット用の通信回路等）とからなる制御部１１、制御部１１（ＣＰＵ）が従うプログラムが記憶されているとともに、４種のテーブル（詳細は後述）、録画した番組データ等の記憶に用いられるＨＤＤ１２、ＢＳデジタル放送受信用の回路であるＢＳデジタル受信部１３等から構成されている。換言すれば、情報閲覧支援装置１０のハードウェア構成は、既に市販されているＢＳデジタル放送の受信が可能なパーソナルコンピュータ（本体部分）と同様のものとなっている。このため、情報閲覧支援装置１０のハードウェア構成の詳細説明は省略する。また、リモコン１５は、情報閲覧支援装置１０用に製造された機器ではあるが、既存のＢＳデジタルチューナに付属のリモートコントローラと同様のハードウェア構成、機能を有する機器であるので、リモコン１５の詳細についての説明も省略する。
【００２５】
実際の運用（利用）が開始されている情報閲覧支援装置１０のＨＤＤ１２には、１個のパスワード管理テーブル２１と、ｎ（ｎは通常２以上の整数；詳細は後述）個の嗜好情報テーブル２２、ｎ個の気遣い情報テーブル２３及びｎ個の個人情報管理テーブル２４が、記憶されている。なお、これらのテーブルのうち、実際の運用が開始される前からＨＤＤ１２内に存在するテーブルは、パスワード管理テーブル２１（ただし、内容のないもの）だけである。
【００２６】
パスワード管理テーブル２１は、ユーザ毎に、そのユーザの識別情報であるとともに気遣い者が誰であるかを示す際に使用される情報であるユーザ名、本人認証のための情報であるユーザＩＤ及びパスワードを、記憶しておくためのテーブルである。
【００２７】
情報閲覧支援装置１０の運用を開始する際には、通常、特定のユーザによって、各ユーザのユーザＩＤ等をパスワード管理テーブル２１に設定する作業が行なわれる。詳細の説明は省略するが、この作業は、リモコン１５、或いは、ＰＣ４０を用いて行われる。そして、当該作業時に、パスワード管理テーブル２１に或るユーザに関する情報が設定された際には、そのユーザに関する（正確には、そのユーザのユーザＩＤと対応づけられた）嗜好情報テーブル２２、気遣い情報テーブル２３及び個人情報管理テーブル２４（いずれも内容がないもの）が、ＨＤＤ１２上に生成される。
【００２８】
嗜好情報テーブル２２は、図２に模式的に示したように、幾つかのキーワードを、それぞれ機密フラグとともに記憶しておくためのテーブルである。或るユーザに関する嗜好情報テーブル２２内に記憶されたキーワードは、そのユーザに好みに合った放送番組やそのユーザにとって重要なＷｅｂページ、Ｅメールを検索するために用いられる情報となっており、機密フラグは、対応するキーワードの他ユーザによる利用（参照）を禁止するか否かをオン／オフで示す情報となっている。また、或るユーザに関する嗜好情報テーブル２２は、そのユーザが、内容の変更（キーワード等の設定）を行なえるテーブルとなっている。なお、本実施形態では、この嗜好情報テーブル２２内に記憶される情報が、第１検索条件情報に相当している。
【００２９】
気遣い情報テーブル２３は、図３に模式的に示したように、幾つかのキーワードと設定者名とからなる情報（以下、気遣い情報と表記する）を複数個記憶可能なテーブルである。或るユーザに関する気遣い情報テーブル２３に記憶されるキーワードも、そのユーザに適した情報（そのユーザに好みに合った放送番組やそのユーザにとって重要なＥメール）を検索するために用いられる。ただし、或るユーザに関する気遣い情報テーブル２３は、そのユーザ以外のユーザの情報閲覧支援装置１０に対する操作により、幾つかのキーワードと、当該操作を行なったユーザのユーザ名を設定者名として含む気遣い情報の設定が行なわれるテーブルとなっている。なお、本実施形態では、この気遣い情報テーブル２３内に記憶される情報が、第２検索条件情報に相当している。
【００３０】
或るユーザに関する個人情報管理テーブル２４は、そのユーザのスケジュールや、そのユーザの知り合いの住所、他ユーザからの連絡情報、そのユーザのＥメールアカウント等が記憶されるテーブルである。また、或るユーザに関する個人情報管理テーブル２４には、被気遣い者毎に、その被気遣い者に視聴することを薦めることが好ましい放送番組に関する情報である推奨番組情報も記憶される。
【００３１】
以上のことを前提として、以下、情報閲覧支援装置１０の動作を、具体的に説明する。
【００３２】
なお、情報閲覧支援装置１０は、インターネット１００を介した操作及びＰＣ４０を用いた操作には、Ｗｅｂページが利用された装置となっている。そして、周知のように携帯電話がブラウズ出来るＷｅｂページには、サイズ等の制限があるので、情報閲覧支援装置１０は、携帯電話用のＷｅｂページと一般的なコンピュータ用のＷｅｂページとを提供できるように構成されている。また、リモコン１５によって情報閲覧支援装置１０を操作する際には、テレビジョン３０に、操作用の画面が表示される。この画面は、一般的なコンピュータによる情報閲覧支援装置１０の操作時に当該コンピュータのディスプレイに表示されるＷｅｂページと本質的には同じものであるが、リモコン１５での操作に適したものとされている。
【００３３】
要するに、情報閲覧支援装置１０は、各ユーザが、リモコン１５、Ｗｅｂブラウズ可能な端末、及び、ＰＣ４０によって、その操作（利用）が可能な装置ではあるが、操作に利用する機器の種類に応じた動作を行なうように構成されている。ただし、基本的な動作手順は、操作に利用する機器の種類が何であっても同じであるので、以下では、情報閲覧支援装置１０を操作するために用いられる機器（以下、操作端末と表記する）が、ブラウズできるＷｅｂページに特に制限がない機器である場合を中心に、情報閲覧支援装置１０の動作を説明する。
【００３４】
情報閲覧支援装置１０を操作端末で利用する際、ユーザは、所定のＵＲＬを入力することにより、当該操作端末に、ＬＡＮケーブル４５上或いはインターネット１００上へ情報閲覧支援装置１０（制御部１１）が受信して処理することになるＨＴＴＰリクエスト（以下、ログインページ要求と表記する）を送信させる。
【００３５】
一方、情報閲覧支援装置１０の制御部１１は、常時、ログイン画面要求の受信を監視しており、ログインページ要求を受信した際には、図４に示した手順の処理を実行する。
【００３６】
すなわち、ログインページ要求を受信した際、制御部１１は、ログイン情報取得処理を実行する（ステップＳ１０１）。このログイン情報取得処理時、制御部１１は、まず、ログインページ要求の送信元に対してログインページ情報を送信する。ここで、ログインページ情報とは、ログインページ要求を送信した操作端末（以下、処理対象操作端末と表記する）に、ユーザＩＤの入力欄、パスワードの入力欄、送信ボタン等を備えるＷｅｂページ（以下、ログインページと表記する）を表示させるための情報のことである。そして、制御部１１は、処理対象操作端末にて入力されたユーザＩＤとパスワードとを取得した（ログインページを表示している操作端末が、送信ボタンが押下されたときに送信する情報を受信した）ときに、ステップＳ１０１（ログイン情報取得処理）を終了する。
【００３７】
なお、情報閲覧支援装置１０をＷｅｂブラウズ可能な携帯電話にて利用する際、ユーザは、当該携帯電話に上記ＵＲＬとは異なるＵＲＬを入力することにより、インターネット１００上に携帯電話用のログインページ要求が送信されるようにする。この携帯電話用のログインページ要求を受信した情報閲覧支援装置１０は、図４に相当する携帯電話用の処理を開始し、ステップＳ１０１に相当するステップにて、アクセスしてきた携帯電話に、携帯電話での表示に適した形態のＷｅｂページを表示させる処理等を行なう。また、リモコン１５にて情報閲覧支援装置１０を利用する際、ユーザは、リモコン１５に設けられているメニューボタンの押下で始まる所定手順の操作を行なう。当該操作がなされたことを認識した情報閲覧支援装置１０は、図４に相当するリモコン１５用の処理を開始し、ユーザＩＤとパスワードとを入力できる画面（各情報の入力するためのソフトウェアキーボードを有する画面）をテレビジョン３０に表示させるための処理等を行なう。後述する各ステップと、それに対応する携帯電話或いはリモコン１５用の処理内でのステップとの関係も、同様のものであるので、以下では、携帯電話或いはリモコン１５用の処理に関する説明は省略する。
【００３８】
ログイン情報取得処理を完了した制御部１１は、取得したユーザＩＤとパスワードとの組み合わせがパスワード管理テーブル２１に記憶されているか否かを判断する（ステップＳ１０２）。当該組み合わせがパスワード管理テーブル２１に記憶されていなかった場合（ステップＳ１０２；ＮＯ）、制御部１１は、その旨をアクセス者（操作端末の操作者）に通知するためのＷｅｂページであるエラーページを表示させるための情報を、処理対象操作端末に対して送信（ステップＳ１０７）して、図示した処理を終了する。
【００３９】
一方、取得したユーザＩＤとパスワードとの組み合わせがパスワード管理テーブル２１に記憶されていた場合（ステップＳ１０２；ＹＥＳ）、制御部１１は、実行を開始すべき処理の指示を、ユーザＩＤ等を入力したユーザ（以下、ログインユーザと表記する）から受けるための指示取得処理を実行する（ステップＳ１０３）。
【００４０】
この指示取得処理時、制御部１１は、まず、処理対象操作端末に対してメインメニューページ情報を送信することにより、処理対象操作端末に、その操作者（つまり、ログインユーザ）が情報閲覧支援装置１０に実行させる処理を選択できるメインメニューページを表示させる。そして、制御部１１は、処理対象操作端末にて或る処理の実行を指示する操作がなされたことを検出した（メインメニューページを表示している操作端末が送信したログインユーザの選択結果を示す情報を受信した）ときに、ステップＳ１０３（指示取得処理）を終了し、ログインユーザによってその実行が指示された処理を、ステップＳ１０４にて実行する。
【００４１】
ステップＳ１０４にて実行されることがある処理の詳細を説明する前に、ここで、ステップＳ１０４完了後の情報閲覧支援装置１０の動作を説明しておく。
【００４２】
ステップＳ１０４の完了後、続くステップＳ１０５において、制御部１１は、問い合わせページ情報を送信することにより、情報閲覧支援装置１０の利用を続けるか否かをログインユーザに問い合わせるための問い合わせページを通信対象操作端末に表示させる。その後、制御部１１は、問い合わせページを表示している操作端末からログインユーザの選択結果を示す情報が送信されてきたときに、ステップＳ１０５を終了する。そして、制御部１１は、ログインユーザによる指示が続行を指示するものであった場合（ステップＳ１０６；続行）には、ステップＳ１０３に戻り、再び、指示取得処理を実行する。一方、ログインユーザによる指示が終了を指示するものであった場合（ステップＳ１０６；終了）、制御部１１は、ログインページ要求の受信で始まったこの図４の処理を終了する。
【００４３】
以下、ステップＳ１０４にて行なわれることがある各処理の詳細を説明する。
【００４４】
本情報閲覧支援装置１０では、メインメニューページにて実行を指示することが出来る処理（ステップＳ１０４にて行なわれることがある処理）として、嗜好情報設定処理、３種の気遣い情報設定処理（文字入力形式、音声入力形式、及び、アンケート形式の気遣い情報設定処理）、個人情報入力閲覧処理、番組案内閲覧処理、Ｅメール閲覧処理、Ｗｅｂページ検索閲覧処理等が、用意されている。
【００４５】
嗜好情報設定処理は、そのユーザに好みに合った放送番組やそのユーザにとって重要なＥメールを検索するために用いられるキーワードの設定、変更（嗜好情報テーブル２２へのキーワードの設定、変更）を行なうときに、ユーザがその実行を指示すべき処理である。なお、本実施形態では、以下に説明する嗜好情報設定処理が、第１条件情報設定ステップに相当している。
【００４６】
嗜好情報設定処理時、制御部１１は、それぞれ、キーワードを入力するための複数のテキストボックス、各キーワードに対する機密フラグを指定するための複数のチェックボックス、設定完了ボタン等を有するＷｅｂページ（以下、嗜好情報設定ページと表記する）を表示させるための情報を、処理対象操作端末に送信する。なお、制御部１１は、ログインユーザに関する嗜好情報テーブル２２に既に幾つかのキーワード及び機密フラグが設定されていた場合には、それらが示された嗜好情報設定ページを表示させるための情報を、送信する。
【００４７】
そして、制御部１１は、嗜好情報設定ページを表示している処理対象操作端末が設定完了ボタンの押下を検出した際に送信する、ユーザによって設定された幾つかのキーワードと対応する機密フラグとを示す情報を受信した際には、ログインユーザに関する嗜好情報テーブル２２の内容を当該情報に応じたものに書き換えて、ステップＳ１０４（嗜好情報設定処理）を終了する。
【００４８】
また、メインメニューページからその実行が指示できる３種の気遣い情報設定処理のうち、文字入力形式の気遣い情報設定処理、音声入力形式の気遣い情報設定処理は、いずれも、他ユーザに関して気になっていることがあるユーザが、その実行を指示すべき処理となっている。
【００４９】
図５に、文字入力形式の気遣い情報設定処理時の制御部１１の動作手順を示す。図示したように、文字入力形式の気遣い情報設定処理時、制御部１１は、まず、気遣いコメント取得処理を実行する（ステップＳ２０１）。この気遣いコメント取得処理時、制御部１１は、処理対象操作端末に対して気遣いコメント入力ページ情報を送信することにより、処理対象操作端末に、図６に示したように、設定者名表示欄７１、被気遣い者名選択欄７２、気遣いコメント入力欄７３、登録ボタン７４等を有するＷｅｂページ（以下、気遣いコメント入力ページと表記する）を、表示させる。なお、制御部１１は、気遣いコメント入力ページ情報として、ログインユーザのユーザ名（図では、“母”）が表示された設定者名表示欄７１を有するとともに、パスワード管理テーブル２１に記憶されている、ログインユーザ自身のユーザ名を除くユーザ名のいずれかが選択できる被気遣い者名選択欄７２（いわゆる、ドロップダウンリストボックス；図では、“健一”が選択されている）を有する気遣いコメント入力ページを表示させる。
【００５０】
文字入力形式の気遣い情報設定処理の実行を指示したログインユーザは、このような気遣いコメント入力ページ上の被気遣い者名選択欄７２を操作することにより、気になっていることがあるユーザのユーザ名を被気遣い者名選択欄７２内に表示させるとともに、気遣いコメント入力欄７３に、気になっていることを自然言語（通常の文章）で入力する。そして、ログインユーザは、登録ボタン７４を押下する。
【００５１】
このような一連の操作により、気遣いコメント入力ページを表示している操作端末は、気遣いコメント欄７３に入力されている文字情報である気遣いコメントと、被気遣い者名選択欄７２に表示されているユーザ名である被気遣い者名とを含む、情報閲覧支援装置１０によって受信されることになる情報をネットワーク（ＬＡＮケーブル４５或いはインターネット１００）上に送信する。
【００５２】
この気遣いコメントと被気遣い者名とを含む情報を受信した制御部１１は、気遣いコメント取得処理（図５；ステップＳ２０１）を終了し、続くステップＳ２０２において、気遣いコメントの内容を解析（解釈）するための処理（一種の自動要約処理）を行なうことにより、その気遣いコメントの内容から想定される心理／健康状態にある者が見るべき情報を検索できる幾つかのキーワード（例えば、“ストレス”、“健康”）を決定する。なお、キーワードの決定は、例えば、コメントとして入力された自然言語を元に一般的に行なわれているテキストマイニングや連想分析等により単語間の関連性や結合度を算出し、その結果として得られた単語をキーワードとして決定する、などの方法により行なわれる。
【００５３】
そして、制御部１１は、決定した幾つかのキーワードと設定者名（＝ログインユーザのユーザ名）とからなる気遣い情報を、被気遣い者名に応じた気遣い情報テーブル２３に設定（ステップＳ２０３）し、気遣い情報設定処理を終了する。なお、このステップＳ２０３において、制御部１１は、同じユーザにより設定された被気遣い情報が既に存在していた場合、気遣い情報テーブル２３に対して、既存の被気遣い情報の代わりに今回の被気遣い情報を設定する処理を行なう。
【００５４】
また、音声入力形式の気遣い情報設定処理時、制御部１１は、気遣いコメントの入力が音声によって行なわれる点を除けば、文字入力形式の気遣い情報設定処理と同じ内容の処理を実行する。具体的には、音声入力形式の気遣い情報設定処理時、制御部１１は、ステップＳ２０１相当のステップにおいて、ログインユーザが、被気遣い者名を指定（選択）できるとともに、被気遣い者の指定の完了及び音声入力の開始を指示するためのボタンが設けられたＷｅｂページを、処理対象操作端末に表示させる。そして、制御部１１は、当該ボタンの押下により、被気遣い者名を示す情報が送信されてきた場合には、音声入力を受け付ける状態に移行し、所定時間分の音声データを記憶する。
【００５５】
その後、情報閲覧支援装置１０は、ステップＳ２０２相当のステップにおいて、記憶した音声データを文字情報に変換し、その文字情報を気遣いコメントとして取り扱って、幾つかのキーワードを決定する。そして、制御部１１は、ステップＳ２０３相当のステップにおいて、決定した幾つかのキーワードと設定者名とを、取得している被気遣い者名に応じた気遣い情報テーブル２３に設定して、音声入力形式の気遣い情報設定処理を終了する。
【００５６】
なお、この音声入力形式の気遣い情報設定処理は、キーボードの操作が苦手なユーザが一般的なコンピュータ（ただし、マイクを備えたもの）にて気遣い情報の設定を容易に行なえるようにするため、並びに、一般ユーザが、文字情報の入力が面倒な携帯電話にて気遣い情報の設定を容易に行なえるようにするために設けられたものである。
【００５７】
上記したように、文字入力形式の気遣い情報設定処理と音声入力形式の気遣い情報設定処理とは、他ユーザに関して気になっていることがある（入力したい気遣いコメントがある）ユーザが、その実行を指示すべき処理となっている。これに対し、アンケート形式の気遣い情報設定処理は、入力したい気遣いコメントが特にない（思い付かない）場合にユーザがその実行を指示すべき処理となっている。
【００５８】
以下、図７、８を用いて、アンケート形式の気遣い情報設定処理の内容を、説明する。なお、図７は、アンケート形式の気遣い情報設定処理の流れ図であり、図８は、アンケート形式の気遣い情報設定処理が実行された際に処理対象操作端末に表示される気遣い情報入力ページの説明図である。
【００５９】
図７に示したように、アンケート形式の気遣い情報設定処理時、制御部１１は、まず、アンケート処理を実行する（ステップＳ３０１）。このアンケート処理時、制御部１１は、処理対象操作端末に対してアンケートページ情報を送信することにより、処理対象操作端末に、図８に模式的に示したような、設定者名表示欄８１、被気遣い者名選択欄８２、アンケート領域８３、登録ボタン８４等が設けられたＷｅｂページ（以下、アンケートページと表記する）を、表示させる。このアンケートページに設けられている設定者名表示欄８１、被気遣い者名選択欄８２は、気遣いコメント入力ページ（図６）に設けられている設定者名表示欄７１、被気遣い者名選択欄７２と同機能のアイテムである。そして、アンケート領域８３は、図から明らかなように、各種の問いが示され、各問いに対する答え（“１”〜“５”）を選択入力することが出来る領域となっている。また、アンケート領域８３に記された問いは、答えから、被気遣い者の心理状態や健康状態を把握できる（従って、その被気遣い者に適した情報を検索することが可能なキーワードも特定できる）ものとなっている。
【００６０】
アンケート形式の気遣い情報設定処理の実行を指示したログインユーザは、このようなアンケートページ上の被気遣い者名選択欄８２を操作することにより、対象とするユーザのユーザ名を被気遣い者名選択欄８２内に表示させるとともに、アンケート領域８３内に記されている各問いに対する答えを選択する。そして、ログインユーザは、登録ボタン８４を押下する。
【００６１】
登録ボタン８４の押下により、アンケートページを表示している処理対象操作端末は、全ての問いに対する答えと被気遣い者名選択欄８２に表示されている被気遣い者名とを含む、情報閲覧支援装置１０によって受信されることになる所定フォーマットの情報をネットワーク上に送信する。
【００６２】
この情報を受信した制御部１１は、アンケート処理（図５；ステップＳ３０１）を終了し、続くステップＳ３０２において、当該情報に含まれる各問いに対する答えから、被気遣い者が見るべき情報を検索することができる幾つかのキーワードを決定する。そして、制御部１１は、決定した幾つかのキーワードと設定者名（＝ログインユーザのユーザ名）を、被気遣い者名に応じた気遣い情報テーブル２３に設定（ステップＳ３０３）し、アンケート形式の気遣い情報設定処理を終了する。
【００６３】
なお、本実施形態では、上記した各気遣い情報設定処理が、第２条件情報設定ステップに相当している。
【００６４】
次に、情報検索ステップ及び情報提示ステップに相当する、番組案内閲覧処理、Ｅメール閲覧処理、Ｗｅｂページ閲覧処理、個人情報設定閲覧処理を、説明する。
【００６５】
まず、番組案内閲覧処理の説明を行なう。
【００６６】
図９に、番組案内閲覧処理時の制御部１１の動作手順を示す。図示したように、番組案内閲覧処理時、制御部１１は、ログインユーザに関する嗜好情報テーブル２２に設定されている全てのキーワードを読み出すとともに、ログインユーザに関する気遣い情報テーブル２３内に設定されている全ての気遣い情報（キーワードと設定者名）を読み出す（ステップＳ４０１）。次いで、制御部１１は、読み出したキーワードと、その時点において保持している番組配列情報とに基づき、ログインユーザが好む内容の番組（番組名やその説明文の中に、嗜好情報テーブル２２内に設定されているキーワードが含まれる番組）と他ユーザによってログインユーザが見るべきものと考えられている番組（番組名やその説明文の中に、気遣い情報テーブル２３内に設定されているキーワードが含まれる番組）とを検索する（ステップＳ４０２）。なお、番組配列情報とは、ＢＳデジタル放送にて常時放送されている、所定期間内に放送される各番組の放送時刻やタイトル等を示す情報のことである。また、このステップＳ４０２において、制御部１１は、検索された各番組について、ヒットしたキーワードの数に応じた推奨度を決定する処理も行なう。具体的には、ヒットした気遣い情報テーブル２３内に設定されていたキーワードの数に“１．５”を乗じた値と、ヒットした嗜好情報テーブル２２内に設定されていたキーワードの数とを加算し、その結果の小数点以下を四捨五入した値（ただし、“５”を超える場合は、“５”）を、推奨度として算出する処理を行なう。要するに、制御部１１は、ヒットしたキーワードの数が同数であった場合には、ヒットしたキーワードの中に含まれる気遣い情報テーブル２３内のキーワードの数が多い番組の推奨度の方が大きな値となる手順で、推奨度を算出（決定）する。
【００６７】
そして、制御部１１は、検索した番組に関する情報が、推奨度に応じた形態で示された番組案内ページを表示させるための情報を、処理対象操作端末に送信する（ステップＳ４０３）。具体的には、このステップＳ４０３の処理により、処理対象端末に、図１０に模式的に示したような番組案内ページ、すなわち、ステップＳ４０２にて検索された番組については推奨度に応じた色（図では、網掛け）が付されており、気遣い情報テーブル２３内のキーワードによって検索された番組に関しては、そのキーワードの設定者を示す情報（図では、“母のお勧め番組”）が示された番組案内ページ、が表示される。
【００６８】
その後、制御部１１は、番組案内ページに対する操作内容に応じた処理、例えば、別の日付に関する番組案内ページを表示する処理や、指定された番組の詳細情報を表示する処理や、ステップＳ４０２にて検索された番組のみが示された番組案内ページを表示する処理、録画予約や視聴予約を受け付ける処理等を、実行する（図９：ステップＳ４０４）。そして、終了を指示された際に、制御部１１は、ステップＳ４０４及び番組案内閲覧処理を、終了する。
【００６９】
次に、Ｅメール閲覧処理の説明を行なう。
【００７０】
図１１に、Ｅメール閲覧処理時の制御部１１の動作手順を示す。図示したように、Ｅメール閲覧処理時、制御部１１は、ログインユーザの個人情報管理テーブル２４に設定されているＥメールアカウントを用いて、ログインユーザが利用しているメールサーバから、ログインユーザ宛てのメールを受信し記憶する（ステップＳ５０１）。次いで、制御部１１は、ログインユーザに関する嗜好情報テーブル２２に設定されている全てのキーワードを読み出すとともに、ログインユーザに関する気遣い情報テーブル２３内に設定されている全ての気遣い情報（キーワードと設定者名）を読み出す（ステップＳ５０２）。そして、制御部１１は、それらのキーワードを元に、今回、受信したＥメールの中から、ログインユーザにとって読む価値が高いと考えられるＥメール（嗜好情報テーブル２２内に設定されていたキーワード或いは気遣い情報テーブル２３に設定されていたキーワードを含むＥメール）を検索する（ステップＳ５０３）。また、制御部１１は、このステップにおいて、前述したステップＳ４０２と同様の手順で、検索された各Ｅメールについて推奨度を算出する処理も行なう。
【００７１】
そして、制御部１１は、検索したＥメールに関する件名等が、推奨度に応じた形態で示された受信トレイページを表示させるための情報を、処理対象操作端末に送信する（ステップＳ５０４）。具体的には、このステップＳ５０４の処理により、制御部１１は、処理対象操作端末に、図１２に模式的に示したような、ステップＳ５０３にて検索されたＥメールについては推奨度に応じた色（図では、網掛け）が付されており、気遣い情報テーブル２３内のキーワードによって検索されたＥメールに関しては、そのキーワードの設定者を示す情報（図では、“母”）が示された受信トレイページを表示させる。
【００７２】
その後、制御部１１は、受信トレイページに対する操作内容に応じた処理、すなわち、Ｅメールの内容を実際に処理対象操作端末に表示させる処理や、Ｅメールを削除する処理等を、実行する（図１１：ステップＳ５０５）。そして、終了を指示された際に、制御部１１は、ステップＳ５０５及びＥメール閲覧処理を、終了する。
【００７３】
また、Ｗｅｂページ検索閲覧処理時、制御部１１は、ログインユーザによって予め登録されている幾つかのＷｅｂサイト内のＷｅｂページから、ログインユーザに関する嗜好情報テーブル２２、気遣い情報テーブル２３内のキーワードを含むＷｅｂページを検索するとともに、各Ｗｅｂページの推奨度を既に説明した手順で決定する。そして、制御部１１は、検索したＷｅｂページの内容の一部（以下、タイトルと表記する）が推奨度順に並べられており、各タイトルが推奨度に応じた形態（本実施形態では、色）で示され、気遣い情報テーブル２３内のキーワードによって検索されたＷｅｂページのタイトルに関しては設定者名も示された検索結果ページを、処理対象操作端末に表示させる。そして、制御部１１は、当該検索結果ページに対する操作内容に応じた処理、例えば、検索されたＷｅｂページの全容を実際に処理対象操作端末に表示させる処理を、実行する。そして、終了を指示された際に、制御部１１は、Ｗｅｂページ検索閲覧処理を、終了する。
【００７４】
次に、個人情報設定閲覧処理の説明を行なう。なお、個人情報設定閲覧処理は、個人情報管理テーブル２４の内容の設定、閲覧を行なう処理であり、この個人情報設定閲覧処理時には、スケジュール、住所、連絡情報の設定、閲覧のための処理も行なわれるのであるが、それらの処理の内容は、一般的なスケジューラーがインストールされたコンピュータにて行なわれる処理と同様のものであるので、それらの説明は省略する。
【００７５】
個人情報設定閲覧処理時、制御部１１は、個人情報設定用のメニューページを表示させるための情報を、処理対象操作端末に送信する。このメニューページは、スケジュールや住所の設定、閲覧を行なうための各種の処理と、推奨番組情報を表示させるための推奨番組情報表示処理とを実行させることが出来るものとなっており、推奨情報表示処理の実行が指示された場合、制御部１１は、図１３に示した手順で動作する。
【００７６】
すなわち、制御部１１は、まず、ＨＤＤ１２に記憶されている、ログインユーザに関するものではない最初の気遣い情報テーブル２３（本実施形態では、作成された時刻が最も過去のもの）を処理対象気遣い情報テーブル２３として特定するとともに、被気遣い者（処理対象気遣い情報テーブル２３に対応づけられているユーザＩＤによって識別されるユーザ）を特定する（ステップＳ６０１）。そして、制御部１１は、処理対象気遣い情報テーブル２３にログインユーザが設定者である気遣い情報が設定されているか否かを判断する（ステップＳ６０２）。
【００７７】
処理対象気遣い情報テーブル２３にログインユーザが設定者である気遣い情報が設定されていなかった場合（ステップＳ６０２；ＮＯ）、制御部１１は、ログインユーザ以外のユーザに関する未処理の気遣い情報テーブル２３が残っているか否かを判断（ステップＳ６０７）し、未処理の気遣い情報テーブル２３が残っていた場合（ステップＳ６０７；ＹＥＳ）には、次の気遣い情報テーブル２３に対して、ステップＳ６０１からの処理を実行する。
【００７８】
一方、処理対象気遣い情報テーブル２３にログインユーザが設定者である気遣い情報が設定されていた場合（ステップＳ６０２；ＹＥＳ）、制御部１１は、その気遣い情報に含まれるキーワードと番組配列情報とに基づき、被気遣い者に適した番組を検索する（ステップＳ６０３）。
【００７９】
番組の検索に成功した場合（ステップＳ６０４；ＹＥＳ）、制御部１１は、ステップＳ６０１で特定した被気遣い者に関する嗜好情報テーブル２２内の、機密フラグがオフとなっている全てのキーワードを読み出す（ステップＳ６０５）。そして、制御部１１は、読み出したキーワードと検索に用いたキーワードとに基づき、検索された各番組の推奨度を決定し、決定した推奨度、検索した番組に関する情報、ヒットしたキーワード等からなる情報を、ステップＳ６０１で特定されている被気遣い者に関する推奨番組情報としてログインユーザの個人情報管理テーブル２４内に記憶する（ステップＳ６０６）。
【００８０】
次いで、制御部１１は、ログインユーザ以外のユーザに関する未処理の気遣い情報テーブル２３が残っているか否かを判断（ステップＳ６０７）し、未処理の気遣い情報テーブル２３が残っていた場合（ステップＳ６０７；ＹＥＳ）には、次の気遣い情報テーブル２３に対してステップＳ６０１からの処理を実行する。
【００８１】
そして、制御部１１は、ログインユーザ以外の全てのユーザに関する気遣い情報テーブル２３に対する処理が完了したとき（ステップＳ６０７；ＮＯ）に、個人情報管理テーブル２４内に記憶されている全ての推奨番組情報に基づき作成した情報を処理対象操作端末に送信することによって、処理対象操作端末に、被気遣い者毎に、その被気遣い者に勧めるべき番組に関する情報が、ヒットした嗜好情報テーブル２２内のキーワードとともに、推奨度順で示されたＷｅｂページである推奨番組ページを、表示させる（ステップＳ６０８）。換言すれば、このステップＳ６０８の処理により、処理対象端末には、ログインユーザが、被気遣い者毎に、その被気遣い者に薦めるべき番組（気遣い情報を構成するキーワードによって検索された番組）を認識できるとともに、それらの番組の中の被気遣い者が好む番組（被気遣い者の嗜好情報テーブル２２内の機密フラグがオフのキーワードを含む番組）については、その番組のどの部分が被気遣い者にとって好ましいものであるかが分かる（キーワードが分かる）推奨番組ページが、表示される。
【００８２】
その後、制御部１１は、ログインユーザの推奨番組ページに対する操作内容に応じた処理、例えば、他ユーザを指定して入力された情報を、当該他ユーザの個人情報管理テーブル２４に連絡情報として記憶する処理を実行する（ステップＳ６０９）。そして、終了を指示された際に、制御部１１は、ステップＳ６０９及び推奨番組情報表示処理を、終了する。
【００８３】
以上、詳細に説明したように、情報閲覧支援装置１０によれば、各ユーザは、自身の趣味に合ったＢＳデジタル放送番組を見出す作業や、インターネット１００上で公開されているＷｅｂページ、自身宛てのＥメール（広告用のＥメール等）の中から自身にとって重要なＷｅｂページ、Ｅメールを見出す作業を、容易に、かつ、他ユーザからの自身に対する気遣いを認識できる形で行なえることになる。また、情報閲覧支援装置１０は、気遣い者に、被気遣い者に視聴することを薦めることが好ましい番組を、その番組のどの部分が被気遣い者にとって好ましいものであるかを示す情報（キーワード）と共に、知らせることもできる。さらに、各ユーザは、他者に見せたくないキーワードに関しては、そのキーワードを秘密にすることが出来るので、プライバシーに関する問題も生じない。
【００８４】
従って、本情報閲覧支援装置１０を用いれば、自身に対して提示される情報を閲覧することにより、各ユーザが、他ユーザによって気遣われていることを認識することや、他ユーザに対するより細やかな気遣いが行なえることとなり、その結果として、情報閲覧支援装置１０のユーザからなるグループを、話題に富む明るいグループ（例えば、家族）とすることが出来ることになる。
【００８５】
＜変形形態＞
実施形態に係る情報閲覧支援装置１０は、各種の変形を行なうことが出来る。例えば、実施形態に係る情報閲覧支援装置１０は、ＢＳデジタルチューナとしての機能を有した装置であったが、情報閲覧支援装置１０をＢＳデジタルチューナと接続されて使用される装置（いわゆるホームサーバー）としても良い。
【００８６】
また、ＢＳデジタルチューナとしての機能を全く有さない形で情報閲覧支援装置１０を構成しても良く、ＢＳデジタル放送に関しては、番組配列情報を受信してそれに基づいて番組案内を表示する機能のみを有するように、情報閲覧支援装置１０を構成しても良い。
【００８７】
また、情報閲覧支援装置１０は、個人宅で使用されることを想定した装置であったが、複数のグループのそれぞれに対して、上記した処理を行なえるように情報閲覧支援装置１０を変形するとともに、不要となる機能（番組の録画機能等）を取除けば、上記したようなサービスを複数のグループの構成員に提供できるサーバーが実現できることになる。
【００８８】
さらに、情報閲覧支援装置１０が提供する受信トレイページを、一般的なＷｅｂメールサーバが提供するものと同様のもの（推奨度に応じて表示形態を代える処理や、推奨者の表示が行われないもの）としておき、Ｅメールの重要度（メールヘッダのX-Priorty等の値）を、推奨度に応じて変更することによって、ユーザにとって重要な（ユーザが読むべき）Ｅメールが簡単に見い出せるようにすることも出来る。
【００８９】
（付記１）  複数のユーザの中のいずれかのユーザによって入力された、該ユーザに適した情報を検索するための条件を、該ユーザに関する前記第１検索条件情報として設定する第１検索条件情報設定ステップと、
前記複数のユーザの中のいずれかのユーザによって他のユーザを指定した形で入力された、当該他のユーザに適した情報を検索するための条件を、当該他のユーザに関する第２検索条件情報として設定する第２検索条件情報設定ステップと、
複数の情報要素を含む閲覧対象情報の中から、或るユーザに対して、前記第１検索条件情報設定ステップにより設定された前記第１検索条件情報と前記第２検索条件情報設定ステップにより設定された前記第２検索条件情報とに応じて情報要素を検索する情報検索ステップと、
前記情報検索ステップによる前記或るユーザについての検索結果に応じた情報を、該或るユーザに提示する情報提示ステップと
を含むことを特徴とする情報閲覧支援方法。
【００９０】
（付記２）  前記第２検索条件情報設定ステップは、前記複数のユーザの中のいずれかのユーザによって他のユーザを指定した形で入力された情報を、当該他のユーザについての前記第２検索条件情報として、該情報の入力を行ったユーザを示す設定者情報と対応づけて設定し、
前記情報提示ステップは、ユーザに、前記情報検索ステップにより該ユーザについて検索された各情報要素に関する情報を提示するとともに、前記第２検索条件情報によって検索された各情報要素については、該第２検索条件情報として、対応づけられて設定されている設定者を示す情報を提示する
ことを特徴とする付記１記載の情報閲覧支援方法。
【００９１】
（付記３）  或るユーザが他のユーザについて前記第２検索条件情報設定ステップに設定させた第２検索条件情報に基づき、前記閲覧対象情報の中から、該他のユーザに適した情報要素を検索するとともに、該検索した情報要素が、当該他のユーザについて前記第１検索条件情報設定ステップにより設定された第１検索条件情報によって検索されるものであるかの調査を行なう第２情報検索ステップと、
この第２情報検索ステップによる前記或るユーザについての検索結果及び調査結果に応じた情報を、該或るユーザに提示する第２情報提示ステップと
を、さらに、含むことを特徴とする付記１又は付記２記載の情報閲覧支援方法。
【００９２】
（付記４）  前記第１検索条件情報は、キーワードと、他のユーザに対しそのキーワードの利用を許可するか否かを示す機密フラグとからなる情報を、１つ以上含む情報であり、
前記第２情報検索ステップは、検索した情報要素に対する前記調査を、前記他のユーザについて前記第１検索条件情報設定ステップが設定した第１検索条件情報内の機密フラグが、利用を許可するフラグとなっているキーワードのみを用いて、行なう
ことを特徴とする付記３記載の情報閲覧支援方法。
【００９３】
（付記５）  前記第２検索条件情報設定ステップは、前記複数のユーザの中のいずれかのユーザによって他のユーザを指定した形で入力された自然言語情報を解析することにより、第２検索条件情報を生成する
ことを特徴とする付記１乃至付記４のいずれかに記載の情報閲覧支援方法。
【００９４】
（付記６）  ユーザにより入力された情報を、該ユーザに対応する検索条件としてサーバに設定させる第１検索条件情報設定ステップと、
ユーザにより入力された情報を、該ユーザ以外のユーザに対応する検索条件としてサーバに設定させる第２検索条件情報設定ステップと、
前記第１及び第２の検索条件情報設定ステップにより前記ユーザに対応づけて設定された条件を基に検索された結果を、サーバより受信するステップと
を含むことを特徴とする情報閲覧支援方法。
【００９５】
（付記７）  コンピュータに、
複数のユーザの中のいずれかのユーザによって入力された、該ユーザに適した情報を検索するための条件を、該ユーザに関する第１検索条件情報として生成する第１検索条件情報設定ステップと、
前記複数のユーザの中のいずれかのユーザによって他のユーザを指定した形で入力された当該他のユーザに適した情報を検索するための条件を、当該他のユーザに関する第２検索条件情報として生成する第２検索条件情報設定ステップと、
複数の情報要素を含む閲覧対象情報の中から、或るユーザに対して、前記第１検索条件情報設定ステップにより生成された前記第１検索条件情報と前記第２検索条件情報設定ステップにより生成された前記第２検索条件情報とに応じて情報要素を検索する情報検索ステップと、
前記情報検索ステップによる前記或るユーザについての検索結果に応じた情報を、該或るユーザに提示する情報提示ステップと
を実行させることを特徴とするプログラム。
【００９６】
（付記８）  複数のユーザの中のいずれかのユーザによって入力された情報を、当該ユーザについての第１検索条件情報として設定する第１検索条件情報設定手段と、
前記複数のユーザの中のいずれかのユーザによって他のユーザを指定した形で入力された情報を、当該他のユーザについての第２検索条件情報として設定する第２検索条件情報設定手段と、
複数の情報要素を含む閲覧対象情報の中から、或るユーザについて、前記第１検索条件情報設定手段が設定した第１検索条件情報と前記第２検索条件情報手段が設定した第２検索条件情報とに応じて情報要素を検索する情報検索手段と、
前記情報検索手段による前記或るユーザについての検索結果に応じた情報を、該或るユーザに提示する情報提示手段と
を備えることを特徴とする情報閲覧支援装置。
【００９７】
【発明の効果】
本発明によれば、各ユーザは、情報の閲覧時に、他ユーザによって気遣われていることを認識できることになるので、ユーザ間のコミュニケーションの活性化が図れることになる。
【図面の簡単な説明】
【図１】  本発明の一実施形態に係る情報閲覧支援装置の概略構成及び使用形態の説明図である。
【図２】  実施形態に係る情報閲覧支援装置が保持する嗜好情報テーブルの説明図である。
【図３】  実施形態に係る情報閲覧支援装置が保持する気遣い情報テーブルの説明図である。
【図４】  実施形態に係る情報閲覧支援装置の全体的な動作手順を示した流れ図である。
【図５】  実施形態に係る情報閲覧支援装置にて実行される文字入力形式の気遣い情報設定処理の流れ図である。
【図６】  文字入力形式の気遣い情報設定処理が実行された際に処理対象操作端末に表示される気遣い情報入力ページの説明図である。
【図７】  実施形態に係る情報閲覧支援装置にて実行されるアンケート形式の気遣い情報設定処理の流れ図である。
【図８】  アンケート形式の気遣い情報設定処理が実行された際に処理対象操作端末に表示される気遣い情報入力ページの説明図である。
【図９】  実施形態に係る情報閲覧支援装置にて実行される番組案内閲覧処理の流れ図である。
【図１０】  番組案内閲覧処理が実行された際に処理対象操作端末に表示される番組案内ページの説明図である。
【図１１】  実施形態に係る情報閲覧支援装置にて実行されるＥメール閲覧処理の流れ図である。
【図１２】  Ｅメール閲覧処理が実行された際に処理対象操作端末に表示される気遣い情報入力ページの説明図である。
【図１３】  実施形態に係る情報閲覧支援装置にて実行される推奨番組情報再表示処理の流れ図である。
【符号の説明】
１０  情報閲覧支援装置
１１  制御部
１２  ＨＤＤ
１３  ＢＳ放送受信部
１５  リモートコントローラ
２１  パスワード管理テーブル
２２  嗜好情報テーブル
２３  気遣い情報テーブル
２４  個人情報管理テーブル
３０  テレビジョン
４０  パーソナルコンピュータ
４５  ＬＡＮケーブル
１００  インターネット
【図１】
0003995074.tif 000002
【図２】
0003995074.tif 000003
【図３】
0003995074.tif 000004
【図４】
0003995074.tif 000005
【図５】
0003995074.tif 000006
【図６】
0003995074.tif 000007
【図７】
0003995074.tif 000008
【図８】
0003995074.tif 000009
【図９】
0003995074.tif 000010
【図１０】
0003995074.tif 000011
【図１１】
0003995074.tif 000012
【図１２】
0003995074.tif 000013
【図１３】
0003995074.tif 000014